(57)【要約】      （修正有）【課題】新たな機器を無線ネットワークに追加する場合に、パスフレーズを入力することなく、簡単にセキュリティー設定を行う無線システムおよび無線装置を提供する。【解決手段】テレビのような家電機器をまず親機として起動させ、認証用パスフレーズをバーコードとして表示する。撮影機能を持つ無線ＬＡＮ子機がこのコードを撮影し、認証用パスフレーズを読み取り家電機器に接続する。家電機器は子機から以前に接続されたことがある他の親機のＳＳＩＤや認証用パスフレーズ情報を取得し、親機一覧として表示する。この一覧から指定された親機に対し、取得した情報を用いて、家電機器は子機モードに切換えて接続することにより、指定された親機、子機と家電機器が同一ネットワークとして構成される。【選択図】図１
2013085050.tif 000002
【特許請求の範囲】
【請求項１】
無線接続端末と無線接続されているアクセスポイントにさらに無線接続装置を無線接続させる無線接続方法であって、
前記無線接続装置が、基地局となるための認証情報を生成し、
前記無線接続端末が、前記無線接続装置の認証情報を取得し、
前記無線接続端末が、前記無線接続装置の認証情報の設定により、前記無線接続装置と無線接続し、
前記無線接続端末が、記憶している前記アクセスポイントの認証情報を送信し、
前記無線接続装置が、前記アクセスポイントの認証情報を受信し、
前記無線接続装置が、受信した前記アクセスポイントの認証情報の設定により、アクセスポイントに無線接続し、
前記無線接続端末が、送信した前記アクセスポイントの認証情報の設定により、アクセスポイントと無線接続する、ことを特徴とする無線接続方法。
【請求項２】
前記無線接続装置が、生成した認証情報を映像コードに変換し表示し、前記無線接続端末が、表示された映像コードを撮影することにより、前記無線接続端末が、生成された前記無線接続装置の認証情報を取得することを特徴とする請求項1に記載の無線接続方法
【請求項３】
前記無線接続端末は、記憶している複数のアクセスポイントのうちユーザに選択された1つのアクセスポイントの認証情報を送信することを特徴とする請求項1に記載の無線接続方法。
【請求項４】
自身が基地局となるための認証情報を生成する生成部と、
前記認証情報を設定した無線接続端末と、無線接続し、前記無線接続端末から送信された、前記無線接続端末と無線接続されていたアクセスポイントの認証情報を受信する無線部と、
受信した前記前記アクセスポイントの認証情報を設定させ、前記無線部にアクセスポイントと無線接続させる制御部とを備えることを特徴とする無線接続装置。
【請求項５】
生成した認証情報を映像コードに変換する変換部と、
前記映像コードを表示する表示部を、さらに備えることを特徴とする請求項４に記載の無線接続装置。
【請求項６】
無線接続し、通信を行う無線部と、
自身と無線接続されるアクセスポイントの認証情報を記憶する記憶部と、
前記アクセスポイントに無線接続させる無線接続装置で生成された無線接続装置の認証情報を取得する取得部と、
前記無線接続装置の認証情報を設定させ、前記無線部に前記無線接続装置と無線接続させる制御部と、
を備え、
前記制御部は、記憶されているアクセスポイントの認証情報を無線部に送信させるともに、送信したアクセスポイントの認証情報を設定させ、前記無線部にアクセスポイントと無線接続させることを特徴とする無線接続端末。
【請求項７】
生成した認証情報を映像コードに変換し表示した無線接続装置に対して、当該表示された映像コードを撮影する撮影部をさらに備えることを特徴とする請求項６に記載の無線接続端末。
【請求項８】
前記記憶部は、複数のアクセスポイントの認証情報を記憶し、
前記制御部は、前記無線部に、記憶している複数のアクセスポイントのうちユーザに選択された1つのアクセスポイントの認証情報を送信させることを特徴とする請求項６に記載の無線接続端末。
【発明の詳細な説明】
【技術分野】
【０００１】
本発明は、無線接続方法ならびに無線接続する装置および端末に関する。
【背景技術】
【０００２】
近年、無線通信技術の発展に伴い多くの無線通信システムが提案され、その一つであるＩＥＥＥ８０２.１１を用いた無線ＬＡＮシステムが企業内や一般家庭内において、目覚しく普及している。ＩＥＥＥ８０２.１１を用いた無線ネットワークを形成するためには、無線ネットワークを識別するためのＳＳＩＤ（Ｓｅｒｖｉｃｅ  Ｓｅｔ  ＩＤ）を設定する必要がある。また、通信のセキュリティを確保するためには、何らかの認証および暗号方式を設定することが不可欠である。
【０００３】
認証および暗号化方式は複数の方式が存在しており、例えば、ＩＥＥＥで規定されたＷＥＰ（Ｗｉｒｅｄ  Ｅｑｕｉｖａｌｅｎｔ  Ｐｒｉｖａｃｙ）、無線ＬＡＮの業界団体であるＷｉ−Ｆｉ  Ａｌｌｉａｎｃｅが規定したＷＰＡ（Ｗｉ−Ｆｉ  Ｐｒｏｔｅｃｔｅｄ  Ａｃｃｅｓｓ）等が市場で用いられている。ＷＥＰやＷＰＡを用いる場合は、無線ＬＡＮを構成する親機であるアクセスポイントと、子機であるステーションのそれぞれの機器でパスフレーズを入力、設定しなければならない。セキュリティを高く保つためにはパスフレーズを長くすることが有効であるが、キーボードを持たない無線機器で長いパスフレーズを入力するのは非常に面倒な作業であり、ユーザに負担を強いることになる。
【０００４】
このため、セキュリティ設定を簡単にする手法が考案されている。例えばＷｉ−Ｆｉ  Ａｌｌｉａｎｃｅが規定したＷＰＳ（Ｗｉ−Ｆｉ  Ｐｒｏｔｅｃｔｅｄ  Ｓｅｔｕｐ）では、アクセスポイントおよびステーションに専用ボタンを準備して、そのボタンを押すことで設定を完了させる手法や、アクセスポイントが短い数桁の数字を発行し、その数字をステーションに入力させることで設定する手法が規定されている。
【０００５】
また、セキュリティ設定を簡単に行う独自のセキュリティ設定手法の一例が特許文献１に開示されている。この例では、表示部を持つ無線機器がセキュリティ設定情報を表示し、撮影部を持つ無線機器がこの表示された情報を撮影して情報を取得することにより、ユーザがパスフレーズを入力しなくてもセキュリティを確保した通信を行うことができる。
【先行技術文献】
【特許文献】
【０００６】
【特許文献１】特許第4416392号公報
【発明の概要】
【発明が解決しようとする課題】
【０００７】
ＷＰＳまたはその他独自のセキュリティ設定手法を用いれば、ユーザが長いパスフレーズを入力する必要がなく、セキュリティ設定の負担を減らすことが可能であるが、当然ながら、無線ネットワークを形成する機器が全てＷＰＳまたはその他独自のセキュリティ設定手法に対応していなければ、その手法を使うことはできない。ＷＰＳまたはその他独自のセキュリティ設定手法を採用していない無線機器は市場に数多く存在し、ユーザが保有する無線機器の中に一つでもＷＰＳまたはその他独自のセキュリティ設定手法に対応していない機器があれば、パスフレーズの入力が必須のＷＥＰやＷＰＡといった方式を用いて無線ネットワークを構成せざるを得ない。
【０００８】
また、特許文献１に開示されている技術は、表示部を持つ無線機器でなければ用いることができない。一般的なアクセスポイントは表示部を持っていないため、この手法を用いることはできず、やはりステーションでパスフレーズの入力が必須のＷＥＰやＷＰＡといった方式を使わざるを得ない。
【０００９】
一方、近年はテレビのようなキーボードを持たない機器も無線ネットワークへの接続機能を備えるようになってきている。しかしながら、上記理由により長いパスフレーズ入力を強いられることが多く、ユーザの使い勝手に問題が生じている。
【００１０】
本発明は、上記課題を鑑み、表示部を持たない通常のアクセスポイントを用いて、パスフレーズを設定するセキュリティ設定手法による無線ネットワークを構成していたとしても、新たな機器を無線ネットワークに追加する場合に、パスフレーズを入力することなく、簡単にセキュリティ設定を行う無線システムおよび無線装置を提供することを目的とする。
【課題を解決するための手段】
【００１１】
上記目的を達成するために、特許請求の範囲に記載の構成を採用する。
【発明の効果】
【００１２】
本発明によれば、表示部を持たない通常のアクセスポイントとステーションで構成された無線ネットワークに対して、パスフレーズを入力すること無しに、簡単に無線ネットワークにステーションとして接続することができる。
【図面の簡単な説明】
【００１３】
【図１】本実施例の無線システムの構成要素の一例を示すブロック図である。
【図２】本実施例の無線ＬＡＮの構成の一例を示す図である。
【図３】本実施例の無線ＬＡＮの構成の一例を示す図である。
【図４】本実施例の無線ＬＡＮの構成の一例を示す図である。
【図５】本実施例の無線システムにおける処理の一例を示すフローチャートである。
【図６】本実施例の無線システムにおける処理の一例を示すフローチャートである。
【図７】本実施例のアクセスポイント認証情報の一例を示す表である。
【図８】本実施例のアクセスポイント選択表示の一例を示す図である。
【発明を実施するための形態】
【００１４】
以下、図面を参照しながら本発明の実施形態を説明する。図面の記載において、同一の部分には同一の符号を付している。
【実施例１】
【００１５】
図１は、本実施例における無線システムの構成例である。１はテレビ、１００はテレビ用のリモコン、２は無線ＬＡＮ通信機を内蔵した無線端末であって、例えば携帯電話である。３は無線ＬＡＮの親機であるアクセスポイントである。テレビ１は、チューナ１１、表示部１２、記憶部１３、制御部１４、無線部１５、リモコン受信部１６、生成部１７、変換部１８とで構成されている。また、無線端末２は、カメラ２１、表示部２２、記憶部２３、制御部２４、無線部２５、入力部２６、携帯電話通信部２７、解析・認識部２８とで構成されている。
【００１６】
アクセスポイント３には、ＳＳＩＤ、通信方式、認証方式、暗号化方式といった無線ＬＡＮを形成するために必要な認証情報が設定されており、テレビ１に内蔵された無線部１５に同じ認証情報を設定することで、アクセスポイント３とテレビ1が無線ＬＡＮを形成し、安全な通信を行うことができる。同様に、無線端末２に内蔵された無線部２５にアクセスポイント３と同じ認証情報を設定することで、アクセスポイント３と無線端末２が無線ＬＡＮを形成し、安全な通信を行うことができる。
【００１７】
テレビ１は、一般的な放送を受信する場合は、チューナ１１で送信局より送信される放送信号を受信し、映像信号に変換することで表示部１２に表示する。ユーザがチャンネル切替等の指示を行う場合は、リモコン受信部１６がリモコン１００から送信される信号を受信し、制御部１４が受信信号に含まれる指示を認識し、チューナ１１および表示部１２の制御を行う。
【００１８】
無線部１５は、制御部１４からの指示に従い、無線ＬＡＮの親機であるアクセスポイント、もしくは子機であるステーションの何れかとして動作することができる。無線部１５がステーションとして動作する場合は、アクセスポイント３に設定されたＳＳＩＤ、通信方式、認証方式、暗号化方式といった認証情報と同じ認証情報を制御部１４の指示に従い生成部１７が生成し、無線部１５に設定することで、アクセスポイント３と通信を行うことができる。無線部１５をアクセスポイントとして動作させる場合は、生成部１７がＳＳＩＤ、認証方式、暗号化方式といった認証情報を自由に設定可能である。変換部１８は、上記認証情報をバーコードなどの映像情報に変換し、表示部１２に表示させることができる。記憶部１３は、制御部１４からの指示により、上記生成した認証情報を記憶しておく。
【００１９】
無線端末２は、カメラ２１で撮影した映像を表示部２２に表示することができる。また撮影した映像がバーコードのような、数値または文字情報から変換された映像情報であれば、解析・認識部２８が撮影映像をカメラ２１から取得し、映像を解析することで映像に含まれている数値または文字情報を認識することができる。入力部２６がユーザから認証情報の入力を受付け、制御部２４は入力された認証情報を無線部２５に設定することで、アクセスポイント３と通信を行うことができる。本実施例による無線部２５はステーションとしてのみ動作するが、アクセスポイントとして動作することが可能であっても、本実施例の動作には何の影響も無い。
【００２０】
さらに、無線端末２は、無線部２５とは異なる無線通信規格、例えば携帯電話規格に基づき動作する携帯電話通信部２７を有し、無線部２５とは独立して無線通信を行うことができる。
【００２１】
また、制御部２４は、アクセスポイント３との接続に成功した場合は、記憶部２３に上記認証情報を記憶しておく。もしくは、入力部２６がユーザから認証情報の入力を受付け、入力された認証情報を記憶部２３に記憶してもよい。接続に成功したアクセスポイントが複数存在する場合、もしくはユーザが入力した認証情報が複数ある場合は、全ての認証情報を記憶部２３に記憶しておく。
【００２２】
図７に記憶部２３に記憶しておく認証情報の一例を示す。この例では、四つのアクセスポイントが記憶されており、ＳＳＩＤ，無線方式、認証方式、暗号方式、パスフレーズがテーブルとして記憶されている。例えば、Ｎｏ．1のアクセスポイントはＳＳＩＤがＡＰ１であり、無線方式はＩＥＥＥ８０２．１１ｂおよびＩＥＥＥ８０２．１１ｇに対応している。また認証方式はＷＰＡ、暗号方式はＴＫＩＰ（Ｔｅｍｐｏｒａｌ Ｋｅｙ Ｉｎｔｅｇｒｉｔｙ Ｐｒｏｔｏｃｏｌ）、パスフレーズが１２３４５６７８９である。Ｎｏ．２のアクセスポイントＴｅｓｔは、認証方式、暗号方式およびパスフレーズが設定されておらず、どのようなステーションでも自由に接続可能なアクセスポイントであることを示している。Ｎｏ．３およびＮｏ．４のアクセスポイントも同様にＳＳＩＤ，無線方式、認証方式、暗号方式、パスフレーズが記憶されている。
【００２３】
本実施例では、Ｎｏ．３に記憶されている、ＳＳＩＤがＭｙＨｏｍｅであるアクセスポイントが図１のアクセスポイント３である場合の動作の説明を行う。なお、記憶部２３に記憶する情報はこれに限られるものではなく、ＭＡＣアドレス、ＩＰアドレス等の他の情報も一緒に記憶しておいてもよい。
【００２４】
ここで、前提となる無線ＬＡＮの構成状態を図２に示す。図２において、２０１および２０２は無線ＬＡＮの子機であるステーションとして動作している無線機器、無線端末２およびアクセスポイント３は図１に示したものと同一である。アクセスポイント３、無線機器２０１、２０２および無線端末２は、既に同一の認証情報が設定されており、無線ＬＡＮを構成して安全な通信を行うことができる。一方テレビ１には認証情報が設定されておらず、アクセスポイント３と通信を行うことはできない。さらにアクセスポイントは外部ネットワーク４に接続されており、無線機器２０１、２０２および無線端末２はアクセスポイント３を経由して外部ネットワーク４に接続することができる。
【００２５】
本発明においては、無線ＬＡＮにテレビ１を追加し、最終的には図４に示した無線ＬＡＮを簡単な操作で構成することが目的である。図４の状態では、テレビ１にも同一の認証情報が設定されており、無線端末２、無線機器２０１，２０２およびアクセスポイント３は無線ＬＡＮを構成しており、各装置はアクセスポイント３を通じて安全な通信を行うことができる。また、テレビ１、無線端末２、無線機器２０１，２０２が外部ネットワーク４に接続可能なことは言うまでもない。
【００２６】
続いて、テレビ１および無線端末２の動作について、図５に示すフローチャートを参照しながら説明する。上記図２に提示した前提条件の通り、テレビ１はアクセスポイント３に接続する認証情報を設定されておらず、一方、無線端末２は既に認証情報が設定されていて、アクセスポイント３との通信が確立されているものとする。
【００２７】
まず、ステップ１０１において、無線ＬＡＮ接続を行うことをユーザが指示する。具体的には、リモコン受信部１６がリモコン１００から送信される信号を受信し、制御部１４が受信信号に含まれる指示を認識し、無線部１５をアクセスポイントとして動作するように起動させる。続いてステップ１０２において、制御部１４は生成部１７に指示を出し、生成部１７は無線部１５で使用するＳＳＩＤ、通信方式、認証方式および暗号方式を決定する。さらに、認証に用いるパスフレーズを生成して、無線部１５に決定・生成した認証情報を設定する。なお、必ずしも上記認証情報を生成部１７が自動的に生成する必要はなく、ユーザがリモコン１００を使って任意の認証情報を入力し、リモコン受信部１６がこれを受信しても良い。
【００２８】
次にステップ１０３において、変換部１８は、上記生成した認証情報をバーコードなどの映像情報に変換する。映像情報の形態はバーコードに限られるものではなく、端末２が撮影した映像情報から認証情報を認識できるのであれば、どのような形態であってもよい。続いてステップ１０４において、変換した映像情報を表示部１２で表示し、テレビ１は無線端末２からの接続要求待ち状態となる。
【００２９】
ここで無線端末２の動作の説明に移る。ステップ２０１において、テレビ１と無線端末２を無線ＬＡＮで接続することをユーザが指示する。具体的には、入力部２６がユーザからの入力を受付け、制御部２４はカメラ２１を撮影可能状態に起動させる。
【００３０】
テレビ１でステップ１０４までが実行されると、表示部１２にバーコード等の映像情報が表示されるので、無線端末２は、ステップ２０２において、表示された映像情報をカメラ２１で撮影する。次にステップ２０３において、解析・認識部２８はカメラ２１から映像情報を取得し、取得した映像を解析し、その中に含まれる認証情報、例えばＳＳＩＤ、通信方式、認証方式、暗号方式および認証に用いるパスフレーズ等を認識し制御部２４に通知する。続いてステップ２０４において、制御部２４は認識した認証情報を無線部２５に設定し、無線部２５は設定された認証情報を用いてテレビ１の無線部１５に対し接続要求を行う。
【００３１】
ここで、テレビ１の動作に戻ると、ステップ１０５において、無線部１５は無線端末２からの接続要求を受信し、制御部１４は、無線部２５から送信された認証情報が無線部１５に設定された認証情報と合致しているかを判定する。無線部２５が送信した認証情報は、無線部１５に設定された認証情報をバーコード等の映像情報を用いることで無線端末２に送信された情報であることから、当然ながらこの二つの認証情報は合致する。したがって、制御部１４は無線部１５から接続許可を無線部２５に送信させる。以上の動作により、テレビ１と無線端末２は安全な通信を行う無線ＬＡＮを構成する。接続が確立すれば、表示部１２での映像情報の表示は停止すればよい。
【００３２】
この時点での無線ＬＡＮの状態を図３に示す。テレビ１の無線部１５はアクセスポイントとして起動し、無線端末２はステーションとしてテレビ１から取得した認証情報を用いてテレビ１に接続しているため、アクセスポイント３の無線ＬＡＮからは切り離された独立したネットワークを構成している。
【００３３】
次にステップ２０５において、無線端末２の制御部２４は、記憶部２３から記憶されている全てのアクセスポイントの認証情報を読み出す。続いてステップ２０６において、読み出した情報をもとにアクセスポイントの一覧を表示部２２に表示する。図８に、記憶部２３から図７に示した情報を読み出して、表示部２２に表示した例を示す。過去に接続したことがある、もしくはユーザが過去に入力した4つのアクセスポイントのＳＳＩＤのみを表示し、ユーザに接続したいアクセスポイントを選択するように促す。次にステップ２０７において、入力部２６がユーザからのアクセスポイント選択入力を受付ける。本実施例では、ユーザは図１のアクセスポイント３に接続したいのであるから、Ｎｏ．３に記憶されている、ＳＳＩＤがＭｙＨｏｍｅであるアクセスポイントを選択することになる。なお、ユーザが図２に示した無線ＬＡＮを構築する際にアクセスポイント３のＳＳＩＤを設定しているため、接続したいＳＳＩＤを選択することができる。
【００３４】
なお、記憶部２３には過去に接続したことのあるアクセスポイントの認証情報が記憶されているが、本実施例の動作でテレビ１に接続した場合の認証情報は、必ずしも記憶する必要は無い。すなわち、ステップ２０４において無線端末２が接続要求をテレビ１に送信し、接続許可を受信して接続を確立したとしても、このとき無線部２５に設定されている認証情報は記憶部２３に記憶する必要はない。
【００３５】
次に、ステップ２０８において、選択されたアクセスポイントの認証情報を無線部２５から無線部１５に送信する。本実施例ではユーザはＮｏ．３のアクセスポイントを選択しているので、図７に示している、ＳＳＩＤがＭｙＨｏｍｅ、無線方式はＩＥＥＥ８０２．１１ａ、１１ｂ、１１ｇまたは１１ｎ、認証方式がＷＰＡ、暗号方式がＡＥＳ，パスフレーズがｓｅｃ２＃３４といった認証情報が無線部１５に送信される。
【００３６】
テレビ１は、ステップ１０６において、無線部１５が受信した認証情報を制御部１４が取得し、受信した認証情報を記憶部１３に記憶するとともに、無線部１５から認証情報の受領通知を無線部２５に送信する。
【００３７】
さらに、テレビ１では、ステップ１０７において、制御部１４は無線部１５を無線ＬＡＮのステーションとして再起動する。次にステップ１０８において、制御部１４は無線部１５に対し取得したアクセスポイントの認証情報を設定し、アクセスポイントへの接続を行う。本実施例では、Ｎｏ．３のＳＳＩＤがＭｙＨｏｍｅであるアクセスポイント、すなわち図１のアクセスポイント３に対して、記憶されている認証情報を用いて接続を行う。
【００３８】
一方、無線端末２は、ステップ２０９において、無線部２５が受領通知を受信したことを制御部２４が認識すると、制御部２４は無線部２５に対し選択したアクセスポイントの認証情報を設定し、アクセスポイントに接続を行う。本実施例ではＮｏ．３のＳＳＩＤがＭｙＨｏｍｅであるアクセスポイント、すなわち図１のアクセスポイント３に対して、記憶されている認証情報を用いて接続を行う。
【００３９】
上記説明した動作を実施することにより、テレビ１の無線部１５および無線端末２の無線部２５は、それぞれアクセスポイント３に接続する認証情報が設定されており、アクセスポイント３と安全な通信を行う無線ネットワークを構成することができる。これは、図４に示した無線ネットワークであり、テレビ１で煩雑な認証情報をリモコン１００を用いて入力することなく、無線端末２において接続したいアクセスポイントを一覧から選択するだけの簡単な操作をすることで、全ての無線ＬＡＮ機器が繋がったネットワークを構成することができ、さらにはテレビ１および無線端末２が外部ネットワーク４に接続することが可能になる。
【００４０】
また、テレビ１と無線端末２はアクセスポイント３を介して無線通信をしているため、テレビ１を無線端末２が制御したり、逆に無線端末２をテレビ１が制御することが可能となる。例えば、無線端末２の入力部２６がユーザからチューナ１１で選局しているチャンネルの変更指示を受付けたとする。制御部２４は受け付けた変更指示を無線部２５から無線部１５に送信する。テレビ１の制御部１４は無線部１５が受信した変更指示に従い、チューナ１１に選局チャンネルを変更するように指示を行う。このような動作により、ユーザは無線端末２を用いてテレビ１を制御することができる。
【００４１】
また逆の例としては、例えばテレビ１のリモコン受信部１６が、リモコン１００よりユーザからカメラ２１の撮影指示を受付けたとする。制御部１４は受け付けた撮影指示を無線部１５から無線部２５に送信する。無線端末２の制御部２４は無線部２５が受信した撮影指示に従い、カメラ２１に撮影を開始するように指示を行う。このような動作により、ユーザはテレビ１を用いて無線端末２を制御することができる。
【００４２】
また、接続したいアクセスポイント３がどのような認証方法を用いていたとしても、一旦テレビ１がアクセスポイントとして動作して無線端末２と無線接続を確立し、アクセスポイント３と無線端末２が接続していた時の認証情報を、無線端末２からテレビ１に対して送信し、テレビ１がその認証情報を設定するため、テレビ１がステーションとして再起動した際には、テレビ１とアクセスポイント３で安全な通信を行う無線ネットワークを構成できる。
【００４３】
また、アクセスポイント３が表示部を有していなくとも、本実施例の動作に何の問題もないことは言うまでもない。
【実施例２】
【００４４】
続いて、実施例１とは異なる動作について、図６を参照しながら説明する。テレビ１の動作はステップ１０５までは図５と同様である。また、無線端末２の制御もステップ２０４までは同様である。ステップ１０１−１０５およびステップ２０１−２０４の制御により、テレビ１と無線端末２は安全な通信を行う無線接続を図３の状態のように確立している。接続が確立すれば、表示部１２での映像情報の表示は停止すればよい。
【００４５】
次にステップ１２１において、テレビ１の制御部１４は、無線端末２が記憶しているアクセスポイントの認証情報の取得要求を、無線部１５から無線端末２の無線部２５に送信する。無線端末２は取得要求を受信すると、ステップ２０５において、制御部２４は記憶部２３からアクセスポイントの認証情報を読み出す。この場合、読み出すのは図７に示した全てのアクセスポイントの認証情報である。次にステップ２２１において、読み出したアクセスポイントの認証情報を無線部２５からテレビ１の無線部１５に送信する。
【００４６】
テレビ１では、ステップ１２２において、無線部１５が受信したアクセスポイントの認証情報を制御部１４が取得する。次にステップ１２３において、制御部１４は取得した情報を用いて、アクセスポイントの一覧を表示部１２に表示する。表示部１２の表示は、無線端末２の例で説明したのと同様に、図８のように表示すればよい。すなわち、表示部１２には、無線端末２が過去に接続したことがある、もしくはユーザが過去に入力した4つのアクセスポイントのＳＳＩＤのみを表示し、ユーザに接続したいアクセスポイントを選択するように促す。
【００４７】
この時、制御部が取得したアクセスポイントの認証情報には、無線方式に関する情報も含まれているので、これを利用して表示部１２に表示するアクセスポイントに制限を行ってもよい。例えば、無線部１５が対応している無線方式がＩＥＥＥ８０２．１１ａのみであったと改定すると、図７のＮｏ．１およびＮｏ．2のアクセスポイントはＩＥＥＥ８０２．１１ａに対応していないため、接続することはできない。したがって、表示部１２に表示するアクセスポイントをＮＯ．３およびＮｏ．4のみとすればよい。また認証方式および暗号方式に関しても、アクセスポイントの認証情報を調べ、無線部１５が未対応の方式を用いているアクセスポイントについては表示部１２に表示しないようにすることができる。このように無線部１５が接続不可能なアクセスポイントの表示を行わないことで、ユーザの不必要な選択を防ぐという効果がある。
【００４８】
次にステップ１２４において、リモコン受信部１６は、ユーザがリモコン１００を用いて送信したアクセスポイント選択入力を受付ける。本実施例では、ユーザは図１のアクセスポイント３に接続したいのであるから、Ｎｏ．３に記憶されている、ＳＳＩＤがＭｙＨｏｍｅであるアクセスポイントを選択することになる。
【００４９】
続いてステップ１２５において、制御部１４は、どのアクセスポイントが選択されたかという通知を、無線部１５から無線部２５に送信する。本実施例ではユーザはＮｏ．３のアクセスポイントを選択しているので、Ｎｏ．３のアクセスポイントを選択したという通知を送信する。無線端末２では、ステップ２２２において、制御部２４が、通知を受領したという受領通知を無線部２５から無線部１５に送信する。
【００５０】
さらに、テレビ１では、受領通知を受信した後は、図５の場合と同様の動作を行う。すなわち、ステップ１０７において、制御部１４は無線部１５をステーションとして再起動する。続いて、ステップ１０８において、制御部１４は無線部１５に対し選択したアクセスポイントの認証情報を設定し、アクセスポイントに接続を行う。本実施例では、ＳＳＩＤがＭｙＨｏｍｅであるＮｏ．３のアクセスポイント、すなわち図１のアクセスポイント３に対して、記憶されている認証情報を用いて接続を行う。
【００５１】
一方、無線端末２は、ステップ２０９の動作は図５の場合と同じであり、制御部２４は、無線部２５に対し選択されたアクセスポイントの認証情報を設定し、アクセスポイントに接続を行う。本実施例では、ＳＳＩＤがＭｙＨｏｍｅであるＮｏ．３のアクセスポイント、すなわち図１のアクセスポイント３に対して、記憶部２３に記憶されている認証情報を用いて接続を行う。
【００５２】
上記説明した動作を実施することにより、テレビ１の無線部１５および無線端末２の無線部２５はそれぞれアクセスポイント３に接続する認証情報が設定されており、アクセスポイント３と安全な通信を行う無線ネットワークを構成することができる。これは、図４に示した無線ネットワークであり、テレビ１で認証情報をリモコン１００を用いて入力することなく、テレビ１において接続したいアクセスポイントを一覧から選択するだけの簡単な操作をすることで、全ての無線ＬＡＮ機器が繋がったネットワークを構成することができる。
【００５３】
また、接続したいアクセスポイント３がどのような認証方法を用いていたとしても、一旦テレビ１がアクセスポイントとして動作して無線端末２と無線接続を確立し、アクセスポイント３と無線端末２が接続していた時の認証情報を、無線端末２からテレビ１に対して送信し、テレビ１がその認証情報を設定するため、テレビ１がステーションとして再起動した際には、テレビ１とアクセスポイント３が安全な通信を行う無線ネットワークを構成できる。
【００５４】
また、アクセスポイント３が表示部を有していなくとも、本実施例の動作に何の問題もないことは言うまでもない。
【００５５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５６】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【００５７】
また、制御線や情報線は説明上必要と考えられるものを示しており、製品上必ずしも全ての制御線や情報線を示しているとは限らない。実際には殆ど全ての構成が相互に接続されていると考えてもよい。
【００５８】
また、上記実施例においては、テレビ１を、レコーダー、携帯端末、タブレット端末などに置き換えても良い。
【符号の説明】
【００５９】
１…テレビ、２…無線端末、３…アクセスポイント、１００…リモコン、１１…チューナ、１２…表示部、１３…記憶部、１４…制御部、１５…無線部、１６…リモコン受信部、１７…生成部、１８…変換部、２１…カメラ、２２…表示部、２３…記憶部、２４…制御部、２５…無線部、２６…入力部、２７…携帯電話通信部、２８…解析・認識部。
【図１】
2013085050.tif 000003
【図２】
2013085050.tif 000004
【図３】
2013085050.tif 000005
【図４】
2013085050.tif 000006
【図５】
2013085050.tif 000007
【図６】
2013085050.tif 000008
【図７】
2013085050.tif 000009
【図８】
2013085050.tif 000010